(57)【要約】  本方法とシステムはモバイル・チケット（４６）の便利で効率的な認証を提供する。チケット購入者は自分自身の写真画像を（４０）を提供し、これは購入者の電話番号とチケット識別子と共にデータベース（３２）に記憶される。バーコードとしてのチケット識別子と写真を含むモバイル・チケット（４６）が発行される。チケットは購入者のモバイル・フォン（３８）に送信される。チケットは、例えば電話の画面（５０）のバーコード走査（５２）により電話（３８）から端末（５４）へチケット識別子を読取ることにより認証される。識別子を使用して端末の画面に表示された（６０）記憶画像（５８）を検索（５６）する。端末の操作員は、チケット（４６）が購入者に所属するものとして認証するために、端末（６０）上の写真を実際の購入者及び電話（５０）の表示部上の写真と比較可能である。
2008538846.tif 000002
【特許請求の範囲】
【請求項１】
チケットの認証方法において、
第１チケット識別子を発生する段階と、
モバイル装置と関係する第１モバイル装置識別子を受信する段階と、
画像を受信する段階と、
互いに関連付けるように第１チケット識別子と、第１モバイル装置識別子及び画像をデータベースに記憶する段階と、
第１チケット識別子を含むチケットを発行する段階と、
チケットをモバイル装置へ送信する段階と、
端末で第２チケット識別子の入力を受け取る段階と、
データベースから画像を検索するように第１及び第２チケット識別子を合致させる段階と、
端末の表示部に画像を表示する段階と、
を含むチケットの認証方法。
【請求項２】
請求項１記載の方法において、画像を受信する段階は、
画像を含む第１メッセージを受信する段階と、
第１メッセージにより識別される第２モバイル装置識別子を受信する段階と、
第１チケット識別子を検索するように第１及び第２モバイル装置識別子を合致する段階と、
を含む方法。
【請求項３】
請求項２記載の方法において、第１メッセージから画像を抽出する段階をさらに含む方法。
【請求項４】
請求項１及至３いずれか記載の方法において、チケットを送信する前に、モバイル装置用にチケットを最適化する段階をさらに含む方法。
【請求項５】
請求項１及至４いずれか記載の方法において、チケットの送信後に、モバイル装置から第１チケット識別子を出力する段階をさらに含む方法。
【請求項６】
請求項５記載の方法において、出力の段階は、モバイル装置の表示部上に第１チケット識別子を表示する段階を含む方法。
【請求項７】
請求項６記載の方法において、チケットは画像をさらに含み、モバイル装置の表示部上に第１チケット識別子を表示する段階は、モバイル装置の表示部上に画像を表示する段階をさらに含む方法。
【請求項８】
請求項１及至７いずれか記載の方法において、第１チケット識別子はバーコードを含む方法。
【請求項９】
請求項６及至８いずれか記載の方法において、端末で入力を受信する段階はモバイル装置の表示部を走査する段階を含む方法。
【請求項１０】
チケット認証システムにおいて、
第１チケット識別子を発生するよう適合されたチケット識別子発生モジュールと、
モバイル装置と関係付けられた第１モバイル装置識別子を受信するように適合され、画像を受信するように適合された受信モジュールと、
互いに関係付けるように第１チケット識別子と、第１モバイル装置識別子及び画像を記憶するように適合されたデータベースと、
第１チケット識別子を含むチケットを発生するよう適合されたチケット発生モジュールと、
モバイル装置にチケットを送信するよう適合された送信モジュールと、
第２チケット識別子の入力を受信するよう適合された端末と、
第１及び第２チケット識別子を合致させることによりデータベースから画像を検索するように適合された問合せモジュールと、を含み、
端末はさらに検索した画像を表示するように適合されている、チケット認証システム。
【請求項１１】
請求項１０記載のシステムにおいて、
画像を含む第１メッセージを受信し、
第１メッセージにより識別される第２モバイル装置識別子を受信し、
第１チケット識別子を受信するよう第１及び第２モバイル装置識別子を合致させるよう適合した画像受信モジュールをさらに含むシステム。
【請求項１２】
請求項１１記載のシステムにおいて、画像受信モジュールは第１メッセージから画像を抽出するようさらに適合されているシステム。
【請求項１３】
請求項１０及至１２いずれか記載のシステムにおいて、モバイル装置用にチケットを最適化するよう適合された最適化モジュールをさらに含むシステム。
【請求項１４】
請求項１０及至１３いずれか記載のシステムにおいて、さらにモバイル装置を含み、モバイル装置は第１チケット識別子を出力するよう適合されているシステム。
【請求項１５】
請求項１４記載のシステムにおいて、モバイル装置はモバイル装置の表示部上に表示することにより第１チケット識別子を出力するよう適合されているシステム。
【請求項１６】
請求項１５記載のシステムにおいて、チケットは画像をさらに含み、モバイル装置はモバイル装置の表示部上に画像を表示するよう適合されているシステム。
【請求項１７】
請求項１０及至１６いずれか記載のシステムにおいて、第１チケット識別子はバーコードを含むシステム。
【請求項１８】
請求項１０及至１７いずれか記載のシステムにおいて、モバイル装置の表示部を走査して第２チケット識別子を受信するように適合されたスキャナをさらに含み、該スキャナは第２チケット識別子を端末に送信するようさらに適合され、端末はスキャナからの第２チケット識別子の入力を受信するように適合されているシステム。
【請求項１９】
請求項１及至９記載の方法を少なくとも１台のコンピュータに実行させるプログラム命令を含む少なくとも１つのプログラム。
【請求項２０】
請求項１９記載の少なくとも１つのコンピュータ・プログラムにおいて、少なくとも１つのコンピュータ・プログラムは、少なくとも１つのコンピュータ・プログラム記録媒体または読取専用メモリ上に実施され、少なくとも１つのコンピュータ・メモリに記憶され、または電気搬送波信号上に担持されるコンピュータ・プログラム。
【請求項２１】
プログラム命令を含むコンピュータ・プログラムにおいて、少なくとも１台のコンピュータにロードされた時に、請求項１０及至１８のいずれかのチケット識別子発生モジュールと、受信モジュールと、チケット発生モジュールと、送信モジュール及び問合せモジュールを構成するコンピュータ・プログラム。
【請求項２２】
請求項２１記載のコンピュータ・プログラムにおいて、コンピュータ・プログラムは記録媒体または読取専用メモリ上に実施され、少なくとも１つのコンピュータ・メモリに記憶され、または電気搬送波信号上に担持されるコンピュータ・プログラム。
【発明の詳細な説明】
【技術分野】
【０００１】
本発明はチケットの認証に関係し、特に画像を使用したモバイル・チケットの認証のシステムと方法に関係する。
【背景技術】
【０００２】
チケットの金儲けまたはダフ屋及び偽造はイベントの主催者やチケット業者には重要な問題である。主要なイベントのチケットはしばしば殆ど即時に売切れてしまうが、例えばウェブサイト上で大きく暴騰した価格で依然として購入可能である。これはまたチケットに対して公正な価格を支払おうとする消費者にとっても問題である。
【０００３】
紙のチケットの転売と２次マーケットへの販売を防止するため、チケットが元の購入者により使用されることを保証する多数の技術が応用されてきた。これらは、公共料金、パスポートのような写真つきＩＤ、または元の購入のために使用したクレジットまたはデビットカードを提示することを含む。これらの技術の全てはわずかにしか成功しておらず、チケットの目視確認をさらに困難にする。チケットダフ屋はチケットと共に偽のＩＤを厚かましくも提示している。
【０００４】
会員カードの場合、カードが多数の人間の間でしばしば回されている。これは、クラブが会員収入を失い、かつこの状況では安全性の脅威があることを意味する。
【０００５】
バーコードを含むメッセージとしてモバイル・フォンへ直接にチケットを配布する方法はチケットを配布する便利な方法であり、使用者が保持、読み出し、回収時の提示が容易であることが分かった。このような電子チケットへのバーコードの混在は、バーコード・スキャナを使用可能であるため回収をさらに補助する。しかしながら、このようなモバイル・チケットも紙チケットと関連して上記した問題を免れない。
【０００６】
さらに最近の開発は携帯電話にディジタルカメラを統合しており、これは使用者が自分自身の画像をキャプチャーする便利な方法を提供する。
【発明の開示】
【発明が解決しようとする課題】
【０００７】
本発明の目的は、少なくとも従来技術のいくつかの問題を克服するモバイル・チケットの便利で有効な認証を提供することである。
【課題を解決するための手段】
【０００８】
本発明の第１の特長によると、チケットの認証方法において、
第１チケット識別子を発生する段階と、
モバイル装置と関係する第１モバイル装置識別子を受信する段階と、
画像を受信する段階と、
互いに関連付けるように第１チケット識別子と、第１モバイル装置識別子及び画像をデータベースに記憶する段階と、
第１チケット識別子を含むチケットを発行する段階と、
チケットをモバイル装置へ送信する段階と、
端末で第２チケット識別子の入力を受け取る段階と、
データベースから画像を検索するように第１及び第２チケット識別子を合致させる段階と、
端末の表示部に画像を表示する段階と、
を含むチケットの認証方法が提供される。
【０００９】
画像を受信する段階は、
画像を含む第１メッセージを受信する段階と、
第１メッセージにより識別される第２モバイル装置識別子を受信する段階と、
第１チケット識別子を検索するように第１及び第２モバイル装置識別子を合致する段階と、
を含むことが望ましい。
【００１０】
本方法は、第１メッセージから画像を抽出する段階をさらに含むことが望ましい。
【００１１】
本方法は、チケットを送信する前に、モバイル装置用にチケットを最適化する段階をさらに含むことが望ましい。
【００１２】
本方法は、チケットの送信後に、モバイル装置から第１チケット識別子を出力する段階をさらに含むことが望ましい。
【００１３】
出力の段階は、モバイル装置の表示部上に第１チケット識別子を表示する段階を含むことが望ましい。
【００１４】
本チケットは画像をさらに含み、モバイル装置の表示部上に第１チケット識別子を表示する段階は、モバイル装置の表示部上に画像を表示する段階をさらに含むことが望ましい。
【００１５】
第１チケット識別子はバーコードを含むことが望ましい。
【００１６】
端末で入力を受信する段階はモバイル装置の表示部を走査する段階を含むことが望ましい。
【００１７】
本発明の第２の特長によると、チケット認証システムは、
第１チケット識別子を発生するよう適合されたチケット識別子発生モジュールと、
モバイル装置と関係付けられた第１モバイル装置識別子を受信するように適合され、画像を受信するように適合された受信モジュールと、
互いに関係付けるように第１チケット識別子と、第１モバイル装置識別子及び画像を記憶するように適合されたデータベースと、
第１チケット識別子を含むチケットを発生するよう適合されたチケット発生モジュールと、
モバイル装置にチケットを送信するよう適合された送信モジュールと、
第２チケット識別子の入力を受信するよう適合された端末と、
第１及び第２チケット識別子を合致させることによりデータベースから画像を検索するように適合された問合せモジュールと、を含み、
端末はさらに検索した画像を表示するように適合されている。
【００１８】
本システムは、
画像を含む第１メッセージを受信し、
第１メッセージにより識別される第２モバイル装置識別子を受信し、
第１チケット識別子を受信するよう第１及び第２モバイル装置識別子を合致させるよう適合した画像受信モジュールをさらに含むことが望ましい。
【００１９】
画像受信モジュールは第１メッセージから画像を抽出するようさらに適合されていることが望ましい。
【００２０】
本システムは、モバイル装置用にチケットを最適化するよう適合された最適化モジュールをさらに含むことが望ましい。
【００２１】
本システムは、さらにモバイル装置を含み、モバイル装置は第１チケット識別子を出力するよう適合されていることが望ましい。
【００２２】
モバイル装置は携帯電話装置の表示部上に表示することにより第１チケット識別子を出力するよう適合されていることが望ましい。
【００２３】
本チケットは画像をさらに含み、モバイル装置はモバイル装置の表示部上に画像を表示するよう適合されていることが望ましい。
【００２４】
第１チケット識別子はバーコードを含むことが望ましい。
【００２５】
本システムは、モバイル装置の表示部を走査して第２チケット識別子を受信するように適合されたスキャナをさらに含み、該スキャナは第２チケット識別子を端末に送信するようさらに適合され、端末はスキャナからの第２チケット識別子の入力を受信するように適合されていることが望ましい。
【００２６】
本発明の第３の特長によると、少なくとも１台のコンピュータに第１の特長による方法を実行させるプログラム命令を含む少なくとも１つのプログラムが提供される。
【００２７】
少なくとも１つのコンピュータ・プログラムは、記録媒体または読取専用メモリ上に実施され、少なくとも１つのコンピュータ・メモリに記憶され、または電気搬送波信号上に担持されることが望ましい。
【００２８】
本発明の第４の特長によると、プログラム命令を含むコンピュータ・プログラムが提供され、少なくとも１台のコンピュータにロードされた時に、第２の特長によるチケット識別子発生モジュールと、受信モジュールと、チケット発生モジュールと、送信モジュール及び問合せモジュールを構成する。
【００２９】
コンピュータ・プログラムは、記録媒体または読取専用メモリ上に実施され、少なくとも１つのコンピュータ・メモリに記憶され、または電気搬送波信号上に担持されることが望ましい。
【実施例】
【００３０】
以下の図面を参照して本発明の実施例を単なる一例として説明する。
本発明の本実施例は、チケット保持者の予め登録した写真と共に固有のバーコード化チケットを含む安全なモバイル・チケットまたはパスを携帯電話に提供する。チケットの認証は、モバイル・フォンの画面に表示されたバーコードを走査する段階と、次いで検査用に予め登録した写真を端末上に検索表示する段階及びチケット所有者とモバイル・フォンの画面上に表示されモバイル・チケットの比較段階とを含む。
【００３１】
図１と図２を参照すると、チケットの登録２はチケット売り場またはウェブサイトを介したチケットの購入でよい。支払いはクレジットまたはデビットカードを使用した通常の方法で行われる。会員パスでは、顧客は会員フォームを完成し、年間会員支払いを行う。しかしながら、チケットまたはパスは即時には発行されず、登録時に顧客は自身を識別するためにそのモバイル・フォン番号（またはイーメール・アドレス）を提供する。
【００３２】
チケット番号、イベント、日付、開始時間、座席番号、等を含むチケット詳細が４で発生される。チケット詳細とモバイル・フォン番号（またはイーメール・アドレス）は、互いに関連付けるために認証センター３０でデータベース３２に６で記憶される。
【００３３】
データベース３２は、別のチケット情報も保持してもよいが、以下のチケット詳細を記憶する：すなわちイベント、日付、開始時間、チケット番号（バーコード）、座席番号（任意）、モバイル・フォン番号、イーメール・アドレス（任意）、名前、写真。
【００３４】
別の実施例では、顧客の写真は登録２の段階で電話番号（またはイーメール・アドレス）と共に提出されるが、本実施例ではチケットまたはパスを有効にして受信するためには、顧客は別の段階で写真を提供する。これは、そのモバイル・フォン３８上のカメラ３６を使用して、顧客の写真を取り、これをＭＭＳ（マルチメディア・メッセージ・サービス）メッセージ４０としてチケット代理店の番号または短縮番号に送信することにより実行される。このメッセージは以後認証センターの画像受信モジュール４２で受信され８、顧客のモバイル番号（またはイーメール・アドレス）が自動的にキャプチャーされる。
【００３５】
メッセージのモバイル・フォン番号は、モバイル・フォン番号と以前に関連付けされたチケット番号を検索する１０ためにデータベース上の記憶された電話番号と合致される。これは、本来の意図した受信者のみがチケットを受信可能であることを保証する。写真が抽出され１２、チケット番号とモバイル・フォン番号と関係付けられたチケット・データベースに記憶される１４。
【００３６】
または、チケットまたはパスを有効化し受信するために写真をイーメールを介して送信可能であり、送信者のイーメール・アドレスが登録段階で与えられたイーメール・アドレスと合致される。他の代案は、以前に記憶したチケット販売ウェブサイトから写真をアップロードすることである。
【００３７】
モバイル・チケット４６は、写真を固有のバーコード化チケット番号とまとめることにより、メッセージ４６としてメッセージ発生モジュール４４により発生される１６。チケット識別子は通常バーコード画像として提供される。メッセージは、モバイル・フォンの表示部と使用しているメッセージ・プロトコルに対して最適化モジュール４７（本発明者によるＷＯ２００４／０２７６６２）の教示に従って）により最適化される１８。
【００３８】
次いでモバイル・チケットが認証センターの送信モジュール４８からモバイル・フォンに送信される２０。モバイル・チケットは写真、バーコード及びチケット本文を含む。バーコードを顧客の写真上に重ね合わせてもよい。別の画像、ビデオ等を含む他の媒体をメッセージに含めてもよい。
【００３９】
ＭＭＳの代案として、ＷＡＰを含む他のモバイル・フォン写真マルチメディア・メッセージ技術を使用してチケットを渡すことも可能である。モバイル・フォンの代わりに、他のモバイル装置、例えば、ＰＤＡ（個人用ディジタル・アシスタント）を使用してもよい。
【００４０】
チケットがイーメールによりモバイル・フォンに提供される場合、モバイル・フォンがＭＭＳ使用可能である必要はない。
【００４１】
妥協案として、バーコード化モバイル・フォン・チケットを写真なしでＳＭＳを通してモバイル・フォンに渡すことも可能である。
【００４２】
モバイル・フォンの表示部５０上に携帯電話チケットを表示する２２ことによりチケットは顧客により使用される。イベント開催地のドアまたはアクセス・ポイントでスタッフが、携帯スキャナ５２を使用してモバイル表示部上のバーコードを端末５４に走査する２４。従って、本実施例では、チケット識別子は電話の表示部上でバーコードとしてモバイル・フォンから出力される。他の実施例では、チケット識別子は、無線信号、例えばブルートゥースまたはＷｉＦｉを使用するような別の方法で電話から出力されてもよい。前記出力は端末、例えば無線受信器を使用して受信してもよい。端末はＰＣ（パーソナル・コンピュータ）またはＰＤＡでよい。認証センターに問合せ５６を送信する端末により画像がデータベースから検索され２６、これにより走査されたバーコードからの固有のチケット番号をデータベース中の記憶したチケット番号と合致させる。関連する以前与えた写真をデータベースから検索し、端末に送信し５８、端末の表示部６０上に表示する２８。次いで端末の操作員は端末表示部上の写真をモバイル・フォン表示部のそれと（モバイル・フォン上に存在する場合）及びチケットを提示した人物の顔に対して検査する。従って、操作員はその端末上でチケット保持者の認証された写真を便利に見ることが出来、これをチケット保持者と比較出来る。さらに、モバイル・フォンの表示部上に表示されたモバイル・チケットが写真を含む場合、操作員はこの写真をその端末上とチケット保持者のそれと便利に比較可能である。
【００４３】
本発明の範囲から逸脱することなく改良と修正を本明細書に含ませてもよい。
【図面の簡単な説明】
【００４４】
【図１】本発明の実施例による段階を示す流れ図。
【図２】概略形式での、本発明の実施例によるシステム。
【図１】
2008538846.tif 000003
【図２】
2008538846.tif 000004
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
チケットの認証方法において、
第１チケット識別子を発生する段階と、
チケット売り場またはウェブサイトでのチケットの購入によりチケットを登録する段階と、
登録時に、モバイル装置と関連する第１モバイル装置識別子を受け取る段階と、
互いに関係付けるようにデータベースに第１チケット識別子と第１モバイル装置識別子を記憶する段階と、
登録とは別の段階で、画像を含むメッセージを受信する段階と、
メッセージにより識別される第２モバイル装置識別子を受信する段階と、
データベースから第１チケット識別子を検索するように第１及び第２モバイル装置識別子を合致する段階と、
互いに関係付けるようにデータベースに第１チケット識別子と画像を記憶する段階と、
第１チケット識別子を含むチケットを発行する段階と、
チケットをモバイル装置へ送信する段階と、
端末で第２チケット識別子の入力を受け取る段階と、
データベースから画像を検索するように第１及び第２チケット識別子を合致させる段階と、
端末の表示部に画像を表示する段階と、
を含むチケットの認証方法。
【請求項２】
請求項１記載の方法において、メッセージはマルチメディア・メッセージ・サービス・メッセージを含み、モバイル装置識別子は各々電話番号を含む、方法。
【請求項３】
請求項１記載の方法において、メッセージはイーメール・メッセージを含み、モバイル装置識別子が各々イーメール・アドレスを含む方法。
【請求項４】
請求項１及至３いずれか記載の方法において、チケットを送信する前に、モバイル装置用にチケットを最適化する段階をさらに含む方法。
【請求項５】
請求項１及至４いずれか記載の方法において、チケットの送信後に、モバイル装置から第１チケット識別子を出力する段階をさらに含む方法。
【請求項６】
請求項５記載の方法において、出力の段階は、モバイル装置の表示部上に第１チケット識別子を表示する段階を含む方法。
【請求項７】
請求項６記載の方法において、チケットは画像をさらに含み、モバイル装置の表示部上に第１チケット識別子を表示する段階は、モバイル装置の表示部上に画像を表示する段階をさらに含む方法。
【請求項８】
請求項１及至７いずれか記載の方法において、第１チケット識別子はバーコードを含む方法。
【請求項９】
請求項６及至８いずれか記載の方法において、端末で入力を受信する段階はモバイル装置の表示部を走査する段階を含む方法。
【請求項１０】
チケット認証システムにおいて、
第１チケット識別子を発生するよう適合されたチケット識別子発生モジュールと、
チケットの購入によりチケットの登録を提供するよう適合されたチケット売り場またはウェブサイトと、
登録時に、モバイル装置と関係する第１モバイル装置識別子を受け取るように適合された受信モジュールと、
互いに関係付けるように第１チケット識別子と第１モバイル装置識別子とを記憶するようにされたデータベースと、
登録とは別の段階で、画像を含むメッセージを受信し、メッセージにより識別される第２モバイル識別子を受信して、第１チケット識別子をデータベースから検索するように第１及び第２モバイル装置識別子を合致させ、互いに関係付けるように第１チケット識別子と画像をデータベースに記憶するように適合された画像受信モジュールと、
第１チケット識別子を含むチケットを発生するよう適合されたチケット発生モジュールと、
モバイル装置にチケットを送信するよう適合された送信モジュールと、
第２チケット識別子の入力を受信するよう適合された端末と、
第１及び第２チケット識別子を合致させることによりデータベースから画像を検索するように適合された問合せモジュールと、を含み、
端末はさらに検索した画像を表示するように適合されている、チケット認証システム。
【請求項１１】
請求項１０記載のシステムにおいて、メッセージはマルチメディア・メッセージ・サービス・メッセージを含み、モバイル装置識別子は各々電話番号を含む、システム。
【請求項１２】
請求項１０記載のシステムにおいて、メッセージはイーメール・アドレスを含み、モバイル装置識別子は各々イーメール・識別子を含む、システム。
【請求項１３】
請求項１０及至１２いずれか記載のシステムにおいて、モバイル装置用にチケットを最適化するよう適合された最適化モジュールをさらに含むシステム。
【請求項１４】
請求項１０及至１３いずれか記載のシステムにおいて、さらにモバイル装置を含み、モバイル装置は第１チケット識別子を出力するよう適合されているシステム。
【請求項１５】
請求項１４記載のシステムにおいて、モバイル装置はモバイル装置の表示部上に表示することにより第１チケット識別子を出力するよう適合されているシステム。
【請求項１６】
請求項１５記載のシステムにおいて、チケットは画像をさらに含み、モバイル装置はモバイル装置の表示部上に画像を表示するよう適合されているシステム。
【請求項１７】
請求項１０及至１６いずれか記載のシステムにおいて、第１チケット識別子はバーコードを含むシステム。
【請求項１８】
請求項１０及至１７いずれか記載のシステムにおいて、モバイル装置の表示部を走査して第２チケット識別子を受信するように適合されたスキャナをさらに含み、該スキャナは第２チケット識別子を端末に送信するようさらに適合され、端末はスキャナからの第２チケット識別子の入力を受信するように適合されているシステム。
【請求項１９】
請求項１及至９記載の方法を少なくとも１台のコンピュータに実行させるプログラム命令を含む少なくとも１つのプログラム。
【請求項２０】
請求項１９記載の少なくとも１つのコンピュータ・プログラムにおいて、少なくとも１つのコンピュータ・プログラムは、少なくとも１つのコンピュータ・プログラム記録媒体または読取専用メモリ上に実施され、少なくとも１つのコンピュータ・メモリに記憶され、または電気搬送波信号上に担持されるコンピュータ・プログラム。
【請求項２１】
プログラム命令を含むコンピュータ・プログラムにおいて、少なくとも１台のコンピュータにロードされた時に、請求項１０及至１８のいずれかのチケット識別子発生モジュールと、受信モジュールと、チケット発生モジュールと、送信モジュール及び問合せモジュールを構成するコンピュータ・プログラム。
【請求項２２】
請求項２１記載のコンピュータ・プログラムにおいて、コンピュータ・プログラムは記録媒体または読取専用メモリ上に実施され、少なくとも１つのコンピュータ・メモリに記憶され、または電気搬送波信号上に担持されるコンピュータ・プログラム。
【国際調査報告】
2008538846.tif 000005
2008538846.tif 000006
2008538846.tif 000007